【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
複数の駐輪装置が設けられた駐輪場を短距離無線通信によるネットワークで管理するシステムにおいて、
１）短距離無線通信手段と、施錠すると施錠信号を送出し、開錠信号を受信して開錠する施錠手段とを備えた駐輪装置、
２）駐輪料金を表示し、該駐輪料金の決済処理をする課金徴収手段と短距離無線通信手段を備えた精算装置、
３）前記ネットワークと接続され、前記駐輪装置の施錠／開錠、駐輪時間、駐輪料金、料金徴収の有無、認証の有無、通信障害の有無から選ばれる少なくとも一つの状態情報を管理する状態管理と、駐輪中の車両の駐輪料金の計算と、前記駐輪装置および精算装置の制御を行うサーバ装置
から構成され、各短距離無線通信手段はメッシュ接続され、ルーティングテーブルを使って短距離無線の無線波の到達範囲にある隣接する駐輪装置をつなぐ所望のロケーションまでの経路を設定することにより、前記サーバ装置が該ネットワークに接続する位置から遠いロケーション又は該サーバ装置との間に通信障害があるロケーションにある駐輪装置と通信し、管理することを特徴とする駐輪場管理システム。
【請求項２】
前記駐輪装置は、さらに前記ネットワークとは別系統の無線通信回線による緊急通信手段を備え、該駐輪装置のネットワークによる通信に予め設定した通信障害が発生したとき、前記緊急通信手段を介して開錠信号を前記施錠手段に送信し、開錠する緊急開錠機能を備えたことを特徴とする特許請求範囲第1項記載の駐輪場管理システム。
【請求項３】
前記駐輪装置には、さらにＩＣカードリーダが設けられ、駐輪時の車両所有者が所持するＩＣカードに格納された所有者識別情報の登録と、開錠時のＩＣカードに格納された所有者識別情報の認証を行うことを特徴とする特許請求範囲第1項乃至第２項記載の駐輪場管理システム。
【請求項４】
前記精算装置には、さらにＩＣカードリーダが設けられ、駐輪時の車両所有者が所持するＩＣカードに格納された所有者識別情報の登録と、開錠時のＩＣカードに格納された所有者識別情報の認証を行うことを特徴とする特許請求範囲第1項乃至第２項記載の駐輪場管理システム。
【請求項５】
複数の駐輪装置を短距離無線通信によるネットワークで管理するシステムにおいて、
１）短距離無線通信手段と、施錠すると施錠信号を送出し、開錠信号を受信して開錠する施錠手段と、駐輪料金を表示し該駐輪料金の決済処理をする課金徴収手段とを備えた駐輪装置、
２）前記ネットワークと接続され、前記駐輪装置の施錠／開錠、駐輪時間、駐輪料金、料金徴収の有無、認証の有無、通信障害の有無から選ばれる少なくとも一つの状態情報を管理する状態管理と、駐輪中の車両の駐輪料金の計算と、前記駐輪装置の制御を行うサーバ装置
から構成され、各短距離無線通信手段はメッシュ接続され、ルーティングテーブルを使って短距離無線の無線波の到達範囲にある隣接する駐輪装置をつなぐ所望のロケーションまでの経路を設定することにより、前記サーバ装置が該ネットワークに接続する位置から遠いロケーション又は該サーバ装置との間に通信障害があるロケーションにある駐輪装置と通信し、管理することを特徴とする駐輪場管理システム。
【請求項６】
前記駐輪装置は、さらに前記ネットワークとは別系統の無線通信回線による緊急通信手段を備え、該駐輪装置のネットワークによる通信に予め設定した通信障害が発生したとき、前記緊急通信手段を介して開錠信号を前記施錠手段に送信し、開錠する緊急開錠機能を備えたことを特徴とする特許請求範囲第5項記載の駐輪場管理システム。
【請求項７】
前記駐輪装置には、さらにＩＣカードリーダが設けられ、駐輪時の車両所有者が所持するＩＣカードに格納された所有者識別情報の登録と、開錠時のＩＣカードに格納された所有者識別情報の認証を行うことを特徴とする特許請求範囲第5項乃至第6項記載の駐輪場管理システム。
【請求項８】
前記駐輪装置は、太陽光発電、風力発電、一時電池、蓄電池、燃料電池から選ばれる少なくとも１つもしくは、その組み合わせである独立系電力供給手段を備え、前記サーバ装置が該ネットワークに接続する位置や商用電力源の所在に限定されることなく管理する駐輪装置の設置位置を設定できることを特徴とする特許請求範囲第1項乃至第7項記載の駐輪場管理システム。
【請求項９】
前記短距離無線通信は、ジグビーもしくはブルートゥースであることを特徴とする特許請求範囲第1項乃至第8項記載の駐輪場管理システム。
【請求項１０】
複数の駐輪装置を無線通信によるネットワークで管理するシステムにおいて、
１）無線通信手段と、施錠すると施錠信号を送出し、開錠信号を受信して開錠する施錠手段と、駐輪料金を表示し該駐輪料金の決済処理をする課金徴収手段と、独立系電力供給手段を備えた駐輪装置、
２）前記ネットワークと接続され、前記駐輪装置の状態管理と、駐輪中の車両の駐輪料金の計算と、前記駐輪装置の制御を行うサーバ装置
から構成され、各無線通信手段はメッシュ接続され、ルーティングテーブルを使って無線波の到達範囲にある隣接する駐輪装置をつなぐ所望のロケーションまでの経路を設定することにより、前記サーバ装置が該ネットワークに接続する位置から遠いロケーション又は該サーバ装置との間に通信障害があるロケーションにある駐輪装置と通信し管理し、さらに独立に電力を供給することにより、前記サーバ装置が該ネットワークに接続する位置や商用電力源の所在に限定されることなく、管理する駐輪装置の設置位置を設定できることを特徴とする駐輪場管理システム。
【手続補正２】
【補正対象書類名】明細書
【補正対象項目名】０００５
【補正方法】変更
【補正の内容】
【０００５】
請求項１記載の発明は、複数の駐輪装置が設けられた駐輪場を短距離無線通信によるネットワークで管理するシステムにおいて、
１）短距離無線通信手段と、施錠すると施錠信号を送出し、開錠信号を受信して開錠する施錠手段とを備えた駐輪装置、
２）駐輪料金を表示し、該駐輪料金の決済処理をする課金徴収手段と短距離無線通信手段を備えた精算装置、
３）前記ネットワークと接続され、前記駐輪装置の施錠／開錠、駐輪時間、駐輪料金、料金徴収の有無、認証の有無、通信障害の有無から選ばれる少なくとも一つの状態情報を管理する状態管理と、駐輪中の車両の駐輪料金の計算と、前記駐輪装置および精算装置の制御を行うサーバ装置
から構成され、各短距離無線通信手段はメッシュ接続され、ルーティングテーブルを使って短距離無線の無線波の到達範囲にある隣接する駐輪装置をつなぐ所望のロケーションまでの経路を設定することにより、前記サーバ装置が該ネットワークに接続する位置から遠いロケーション又は該サーバ装置との間に通信障害があるロケーションにある駐輪装置と通信し、管理することを特徴とする。
【手続補正３】
【補正対象書類名】明細書
【補正対象項目名】０００９
【補正方法】変更
【補正の内容】
【０００９】
請求項５の発明は、複数の駐輪装置を短距離無線通信によるネットワークで管理するシステムにおいて、
１）短距離無線通信手段と、施錠すると施錠信号を送出し、開錠信号を受信して開錠する施錠手段と、駐輪料金を表示し該駐輪料金の決済処理をする課金徴収手段とを備えた駐輪装置、
２）前記ネットワークと接続され、前記駐輪装置の施錠／開錠、駐輪時間、駐輪料金、料金徴収の有無、認証の有無、通信障害の有無から選ばれる少なくとも一つの状態情報を管理する状態管理と、駐輪中の車両の駐輪料金の計算と、前記駐輪装置の制御を行うサーバ装置
から構成され、各短距離無線通信手段はメッシュ接続され、ルーティングテーブルを使って短距離無線の無線波の到達範囲にある隣接する駐輪装置をつなぐ所望のロケーションまでの経路を設定することにより、前記サーバ装置が該ネットワークに接続する位置から遠いロケーション又は該サーバ装置との間に通信障害があるロケーションにある駐輪装置と通信し、管理することを特徴とする。
【手続補正４】
【補正対象書類名】明細書
【補正対象項目名】００１２
【補正方法】変更
【補正の内容】
【００１２】
請求項８の発明は、請求項１乃至請求項７の駐輪場管理システムにおいて、前記駐輪装置は、太陽光発電、風力発電、一時電池、蓄電池、燃料電池から選ばれる少なくとも１つもしくは、その組み合わせである独立系電力供給手段を備え、前記サーバ装置が該ネットワークに接続する位置や商用電力源の所在に限定されることなく管理する駐輪装置の設置位置を設定できることを特徴とする
【手続補正５】
【補正対象書類名】明細書
【補正対象項目名】００１４
【補正方法】変更
【補正の内容】
【００１４】
請求項１０の発明は、複数の駐輪装置を短距離無線通信によるネットワークで管理するシステムにおいて、
１）無線通信手段と、施錠すると施錠信号を送出し、開錠信号を受信して開錠する施錠手段と、駐輪料金を表示し該駐輪料金の決済処理をする課金徴収手段と、独立系電力供給手段を備えた駐輪装置、
２）前記ネットワークと接続され、前記駐輪装置の状態管理と、駐輪中の車両の駐輪料金の計算と、前記駐輪装置の制御を行うサーバ装置
から構成され、各無線通信手段はメッシュ接続され、ルーティングテーブルを使って無線波の到達範囲にある隣接する駐輪装置をつなぐ所望のロケーションまでの経路を設定することにより、前記サーバ装置が該ネットワークに接続する位置から遠いロケーション又は該サーバ装置との間に通信障害があるロケーションにある駐輪装置と通信し管理し、さらに独立に電力を供給することにより、前記サーバ装置が該ネットワークに接続する位置や商用電力源の所在に限定されることなく、管理する駐輪装置の設置位置を設定できることを特徴とする。